(57)【要約】【課題】プラグを電子装置上に接続してロックし、プラグをうっかり抜いてしまったり、ジャック座部上から脱落したりするのを回避する、改良型イヤホンマイクの提供。【解決手段】本考案の改良型イヤホンマイクは、プラグが設けられ、該プラグ上に信号コードが設けられ、該信号コードの他端にイヤホンマイクアッセンブリが接続され、前記イヤホンマイクを接続する電子装置上にジャック座部が設けられ、該ジャック座部外側に挿入孔が設置され、該挿入孔内にジャックが設置されると共に、前記プラグ前端に前記挿入孔に対応する嵌合部が設けられ、前記イヤホンマイクはそのプラグを前記電子装置のジャック座部上に差し込み、該プラグ上の嵌合部を前記ジャック座部の挿入孔上に嵌入し、イヤホンマイクアッセンブリを電子装置上に接続してロックし、受話と発話の通話機能を使用することができる。【選択図】図２
0003145108.tif 000002
【実用新案登録請求の範囲】
【請求項１】
改良型イヤホンマイクであって、プラグと、前記プラグ前端に設置された嵌合部を含み、前記プラグが電子装置のジャック座部上に挿入され、前記プラグ上に信号コードが設けられ、前記信号コードの一端に前記プラグが接続され、他端にイヤホンマイクアッセンブリが接続され、前記イヤホンマイクを接続する前記電子装置上に前記ジャック座部が設けられ、前記ジャック座部外側に挿入孔が設けられ、前記挿入孔内にジャックが設置され、前記嵌合部が前記ジャック座部の挿入孔に対応し、前記イヤホンマイクは前記プラグを前記電子装置のジャック座部上に挿入し、且つ前記プラグ上の嵌合部を前記ジャック座部の挿入孔上に嵌入させ、前記イヤホンマイクアッセンブリを前記電子装置上に接続してロックし、受話と発話の通話機能を使用することができるよう構成したことを特徴とする、改良型イヤホンマイク。
【請求項２】
前記電子装置の挿入孔と前記ジャックの間に一定の間隙が保持され、前記挿入孔が長方形の孔であり、前記イヤホンマイクプラグの嵌合部が前記挿入孔に対応する長方形の嵌入片であり、前記嵌合部と前記プラグの握持部の間に一定の間隙が保持され、前記間隙が前記電子装置の挿入孔と前記ジャック間の間隙よりやや小さいことを特徴とする、請求項１に記載の改良型イヤホンマイク。
【請求項３】
前記イヤホンマイクアッセンブリが、一対のイヤホン、単一のイヤホン、マイクロホン及びイヤホン、或いは単一のマイクロホンとすることができることを特徴とする、請求項１に記載の改良型イヤホンマイク。
【考案の詳細な説明】
【技術分野】
【０００１】
本考案は改良型イヤホンマイクに関し、特に、前記イヤホンマイクのプラグを電子装置上に接続してロックし、イヤホンマイクのプラグをうっかり抜いてしまったり、前記電子装置のジャック座部上から脱落したりすることを回避することができる、改良型イヤホンマイクに関する。
【背景技術】
【０００２】
一般的な従来のイヤホンマイクは、図１に示すように、前記イヤホンマイク１０にプラグ１１が設けられ、前記プラグ１１を電子装置（例：無線通信装置、コンピュータ）のジャック座部（図示しない）上に差込み、イヤホンマイク１０と前記電子装置を電気的に接続して受話と発話の通話機能を行うことができるようになっている。プラグ１１上には信号コード１２が設けられ、該信号コード１２の一端にプラグ１１が接続され、他端にイヤホンマイクアッセンブリ１３（イヤホン/マイクロホン）が接続される。使用時には、前記プラグ１１を前記電子装置のジャック座部上に差し込むと、イヤホンマイクアッセンブリ１３のイヤホンでの受話及びマイクロホンでの発話に利用できる。
【０００３】
しかしながら、前記従来のイヤホンマイク１０のプラグ１１は直接前記電子装置のジャック座部上に差し込まれ、プラグ１１をジャック座部上にロックするためのいかなるロック（固定）装置も備えておらず、プラグ１１をうっかり抜いてしまったり、前記電子装置のジャック座部上から脱落したりしやすいため、使用上非常に不便である。
【考案の開示】
【考案が解決しようとする課題】
【０００４】
本考案は前述の先行技術の欠点に鑑みて、考案者の各種イヤホンマイクの製造経験と技術の蓄積に基づき、上述の欠点に対して各種解決方法を研究し、絶え間ない研究、実験、改良を経て、本考案の新しい改良型のイヤホンマイクの開発に至ったものであり、先行技術における欠点を克服することを意図している。
【０００５】
本考案の目的は、プラグを電子装置上に接続してロックし、イヤホンマイクのプラグをうっかり抜いてしまったり、前記電子装置のジャック座部上から脱落したりするのを回避することができる、改良型イヤホンマイクを提供することにある。
【課題を解決するための手段】
【０００６】
上述の目的を達するため、本考案のイヤホンマイクは、プラグが設けられ、該プラグ上に信号コードが設けられ、該信号コードの一端に前記プラグが接続され、他端にイヤホンマイクアッセンブリが接続され、前記イヤホンマイクを接続する電子装置上にジャック座部が設けられ、該ジャック座部外側に挿入孔が設置され、該挿入孔内にジャックが設置されると共に、前記プラグ前端に前記挿入孔に対応する嵌合部が設けられ、前記イヤホンマイクはそのプラグを前記電子装置のジャック座部上に差し込み、該プラグ上の嵌合部を前記ジャック座部の挿入孔上に嵌入し、イヤホンマイクアッセンブリを電子装置上に接続してロックし、受話と発話の通話機能を使用することができる。このように、イヤホンマイクのプラグを電子装置上に接続してロックすることで、イヤホンマイクのプラグをうっかり抜いてしまったり、電子装置のジャック座部上から脱落したりすることを回避し、意図しない脱落防止の目的を達することができる。
【考案を実施するための最良の形態】
【０００７】
本考案の目的、形状、構造装置の特徴及びその効果について更なる理解を促すため、以下、実施例と図面に基づき詳細に説明する。
【０００８】
本考案の改良型イヤホンマイクは、図２、図３に示すように、本考案のイヤホンマイク３０にプラグ３１が設けられ、前記プラグ３１は電子装置６０（例：無線通信装置、コンピュータ、携帯電話、MP３プレイヤー等）のジャック座部６１上に接続し、イヤホンマイク３０と前記電子装置６０電気的に接続して受話と発話の通話機能を使用するために用いられる。
【０００９】
前記プラグ３１上には信号コード３２が設けられ、信号コード３２の一端にプラグ３１が接続され、他端にイヤホンマイクアッセンブリ３３（本考案の最良の実施例において、前記イヤホンマイクアッセンブリ３３はそれぞれイヤホン及びマイクロホンとする）が接続される。前記イヤホンマイク３０を接続する前記電子装置６０上にはジャック座部６１が設けられ、該ジャック座部６１外側に挿入孔６１１が設けられ、該挿入孔６１１内にジャック６１２が設置される。また、前記プラグ３１前端に前記挿入孔６１１に対応する嵌合部３１１が設けられ、イヤホンマイク３０はそのプラグ３１を電子装置６０のジャック座部６１上に差し込み、且つプラグ３１上の嵌合部３１１をジャック座部６１の挿入孔６１１上に嵌入させることで、イヤホンマイクアッセンブリ３３を電子装置６０上に接続してロックし、受話と発話の通話機能（即ち、イヤホンマイクアッセンブリ３３のイヤホンでの受話とマイクロホンでの発話）を使用することができる。このように、イヤホンマイク３０のプラグ３１を電子装置６０上に接続してロックすることで、イヤホンマイク３０のプラグ３１をうっかり抜いてしまったり、電子装置６０のジャック座部６１上から脱落したりすることを回避し、意図しない脱落防止の効果及び目的を達することができる。
【００１０】
図４a、図４b、図４cに示すように、前記電子装置６０の挿入孔６１１とジャック６１２の間には一定の間隙を保持し、前記挿入孔６１１は長方形の孔とする。イヤホンマイク３０のプラグ３１の嵌合部３１１は挿入孔６１１に対応させた長方形の嵌入片とし、前記嵌合部３１１とプラグ３１の握持部３１２の間に一定の間隙を保持し、前記間隙は前記電子装置６０の挿入孔６１１とジャック６１２間の間隙よりやや小さいものとする。
【００１１】
イヤホンマイク３０のプラグ３１を電子装置６０のジャック座部６１上に接続するときは、プラグ３１の嵌合部３１１を挿入孔６１１内に穿入させ、プラグ３１の挿入部をジャック座部６１のジャック６１２上に差し込み、電気的接続を形成し、さらにプラグ３１を９０度の角度旋回させて嵌合部３１１の長方形の嵌入片を挿入孔６１１内に嵌入固定し、うっかり引き出されたり、脱落したりするのを防止する。
【００１２】
図５a、図５bに示すように、プラグ３１を抜くときは、プラグ３１を逆方向に９０度の角度旋回させて嵌合部３１１が挿入孔６１１を通るようにし、直接プラグ３１を電子装置６０の挿入孔６１１上から抜く。
【００１３】
再度図２、図３に示すように、前記イヤホンマイクアッセンブリ３３は、一対のイヤホン、単一のイヤホン、マイクロホン及びイヤホン、或いは単一のマイクロホンとすることもできる。
【００１４】
上述をまとめると、本考案の改良型イヤホンマイクはこれまでにない新しい構造を確実に備えており、またいかなる刊行物にも掲載されたことがなく、且つ市場にいかなる類似の製品も見受けられないため、新規性を備えていることに疑いはない。また、本考案の持つ独特の特徴及び機能は従来品を遥かに超えており、従来品より確実に進歩性を備えているため、特許法の実用新案登録出願要件の規定を満たしており、ここに法に基づき実用新案登録を出願するものである。
【００１５】
以上の説明は、本考案の最良の具体的実施例に基づくものであり、本考案の構造上の特徴はこれに限られず、関連技術を熟知した技術者が本考案の領域内で容易に思い付く変化や修飾はすべて本考案の特許の範囲に含まれるものとする。
【図面の簡単な説明】
【００１６】
【図１】従来のイヤホンマイクの立体外観図である。
【図２】本考案のイヤホンマイク最良の実施例の立体外観図である。
【図３】本考案のイヤホンマイクの使用状態の立体図である。
【図４ａ】本考案のイヤホンマイクの取り付けの連続動作を示す立体図１である。
【図４ｂ】本考案のイヤホンマイクの取り付けの連続動作を示す立体図２である。
【図４ｃ】本考案のイヤホンマイクの取り付けの連続動作を示す立体図３である。
【図５ａ】本考案のイヤホンマイクの取り外しの連続動作を示す立体図１である。
【図５ｂ】本考案のイヤホンマイクの取り外しの連続動作を示す立体図２である。
【符号の説明】
【００１７】
１０      イヤホンマイク
１１      プラグ
１２      信号コード
１３      イヤホンマイクアッセンブリ
３０      イヤホンマイク
３１      プラグ
３１１      嵌合部
３１２       握持部
３２      信号コード
３３      イヤホンマイクアッセンブリ
６０      電子装置
６１      ジャック座部
６１１      挿入孔
６１２      ジャック
【図１】
0003145108.tif 000003
【図２】
0003145108.tif 000004
【図３】
0003145108.tif 000005
【図４ａ】
0003145108.tif 000006
【図４ｂ】
0003145108.tif 000007
【図４ｃ】
0003145108.tif 000008
【図５ａ】
0003145108.tif 000009
【図５ｂ】
0003145108.tif 000010